(57)【特許請求の範囲】
【請求項１】
軒先等に固定され、前方に軸孔を設けた支持片部を形成した取付杆と、長手方向にスライド長孔が形成され、且つ、雨樋を支持する樋耳掛止部を備えた樋支持具本体と、長手方向にスライド長孔が形成され、上記樋支持具本体に対して横方向にスライドする横スライドロックレバーと、上記横スライドロックレバーが上記樋支持具本体に交差するように、上記取付杆から、上記樋支持具本体の上記スライド長孔、上記横スライドロックレバーの上記スライド長孔を貫通して、これらを相互に連通する連結軸とより成る雨樋支持具であって、
上記樋支持具本体と上記取付杆とは、これらの回転を防止する回転防止手段を介して連結しており、且つ、樋支持具本体の下面には、長手方向に複数の凹凸部を形成すると共に、上記横スライドロックレバーの一方側の上面には、上記樋支持具本体の上記凹凸部に係止される係止片部を形成した構造にしている雨樋支持具。
【請求項２】
請求項１において、
上記回転防止手段として、上記樋支持具本体の上面には、長手方向の両側に、上記取付杆の支持片部を嵌合する両側ガイド部を形成した構造にしている雨樋支持具。
【請求項３】
請求項１又は２の何れかにおいて、
上記横スライドロックレバーは、帯板状に形成されたスライド基板の一方側のみを上方に起立させて係止片部を形成しており、その係止片部は、上記樋支持具本体に向けて緩やかに昇降する傾斜部を形成している雨樋支持具。
【請求項４】
請求項１〜３の何れかにおいて、
上記横スライドロックレバーは、上記基板の少なくとも一方端を立起させたストッパー部を形成している雨樋支持具。
【請求項５】
請求項１〜４の何れかにおいて、
上記樋支持具本体に形成したスライド長孔の側壁には、長手方向に連続する側壁凹凸部を形成し、この側壁凹凸部の凹部に、上記横スライドロックレバーの係止片部に上方に突出させて形成した突片が係止される構造にしている雨樋支持具。
【発明の詳細な説明】
【０００１】
【発明の属する技術分野】
本発明は、軒先等に取付ける雨樋支持具に関し、詳しくは、軒先等に固定される取付杆と、前、後にスライド可能な樋支持具本体とを、上記樋支持具本体に対して横方向にスライドする横スライドロックレバーで圧接固定する雨樋支持具の改良に関する。
【０００２】
【従来の技術】
図６は、従来の雨樋支持具を示す概略説明図であり、（ａ）は、その側面図、（ｂ）は、その底面図、（ｃ）は横スライドロックレバーの中央を長手方向に縦断した断面図、（ｄ）は、横スライドロックレバー及び回転止め具の斜視図である。
【０００３】
この雨樋支持具１００は、軒先等に固定される取付杆１０１と、長手方向にスライド長孔１１２が形成され、且つ、雨樋Ｔを支持する樋耳掛止部１２２を備えた樋支持具本体１０２と、長手方向にスライド長孔１１３が形成され、樋支持具本体１０２に対して横方向にスライドし、下面の一方側にカム突条１２３を設けた横スライドロックレバー１０３と、この横スライドロックレバー１０３と取付杆１０１との間に介在されるコ状の板材であって、その両側の折り曲げ片１４１で取付杆１０１及び樋支持具本体１０２の両側を抱持する貫通孔１４２を備えた回転止め具１０４と、これら取付杆１０１、樋支持具本体１０２、横スライドロックレバー１０３、回転止め具１０４を貫通して、上下端をカシメ止めした連結軸１０５とより成る。
【０００４】
この雨樋支持具１００は、横スライドロックレバー１０３を横スライドさせれば、そのカム突条１２３が回転止め具１０４の面上に割り込んで連結軸１０５を引き上げ、その結果、樋支持具本体１０２が取付杆１０１に圧接された状態でロックされ、同時に回転止め具１０４の折り曲げ片１４１が取付杆１０１と樋支持具本体１０２を抱持して、樋支持具本体１０２が横方向に回転することも防止できる。
【０００５】
一方、横スライドロックレバー１０３を、反対方向に横スライドさせれば、そのカム突条１２３が回転止め具１０４の面上から抜け外れて、樋支持具本体１０２と取付杆１０１との圧接状態が解除され、その結果、取付杆１０１と樋支持具本体１０２はフリーとなり、樋支持具本体１０２のスライド長孔１１２に従って所望の位置に移動できる。
【０００６】
【発明が解決しようとする課題】
このように、従来の雨樋支持具１００は、樋支持具本体１０２をロック状態にしたときに、その回転をも防止する点では優れている。
【０００７】
しかし、この回転防止のために、回転止め具１０４を付加しなければならず、構造が複雑となってしまう問題があった。
【０００８】
本発明は、かかる課題を解決することを目的とするもので、従来の機能を保有しつつ、その部品点数を削減して、簡易な構造の雨樋支持具を提供する。
【０００９】
【課題を解決するための手段】
上記目的を達成するため、
請求項１に係る雨樋支持具は、軒先等に固定され、前方に軸孔を設けた支持片部を形成した取付杆と、長手方向にスライド長孔が形成され、且つ、雨樋を支持する樋耳掛止部を備えた樋支持具本体と、長手方向にスライド長孔が形成され、上記樋支持具本体に対して横方向にスライドする横スライドロックレバーと、上記横スライドロックレバーが上記樋支持具本体に交差するように、上記取付杆から、上記樋支持具本体の上記スライド長孔、上記横スライドロックレバーの上記スライド長孔を貫通して、これらを相互に連通する連結軸とより成る雨樋支持具であって、上記樋支持具本体と上記取付杆とは、これらの回転を防止する回転防止手段を介して連結しており、且つ、樋支持具本体の下面には、長手方向に複数の凹凸部を形成すると共に、上記横スライドロックレバーの一方側の上面には、上記樋支持具本体の上記凹凸部に係止される係止片部を形成した構造にしている。
【００１０】
請求項１では、上記樋支持具本体と上記取付杆とは、これらの回転を防止する回転防止手段を介して連結しており、且つ、樋支持具本体の下面には、長手方向に複数の凹凸部を形成すると共に、上記横スライドロックレバーの一方側の上面には、上記樋支持具本体の上記凹凸部に係止される係止片部を形成している。
【００１１】
そのため、樋支持具本体を取付杆に圧接して確実に固定でき、このロック時における樋支持具本体及び横スライドロックレバーの回転をも防止できる。
【００１２】
したがって、従来の機能を維持しつつ、回転止め具を不要にでき、その構造を簡易にできる。
【００１３】
また、横スライドロックレバーの係止片部が樋支持具本体の凹凸部に係止されるので、ロック時の横スライドロックレバーの滑りも防止できる。
【００１４】
請求項２に係る雨樋支持具は、請求項１において、上記回転防止手段として、上記樋支持具本体の上面には、長手方向の両側に、上記取付杆の支持片部を嵌合する両側ガイド部を形成した構造にしている。
【００１５】
請求項２では、回転防止手段の具体的構造を特定し、樋支持具本体のスライドをガイドすることができると共に、請求項１と同様の効果を得ることができる。
【００１６】
請求項３に係る雨樋支持具は、請求項１又は２の何れかにおいて、上記横スライドロックレバーは、帯板状に形成されたスライド基板の一方側のみを上方に起立させて係止片部を形成しており、その係止片部は、上記樋支持具本体に向けて緩やかに昇降する傾斜部を形成している。
【００１７】
請求項３では、係止片部に、徐々に上方に傾斜する傾斜部を形成しているので、横スライドロックレバーの係止片部と、樋支持具本体の凹凸部の凹部とのロック、アンロック操作をスムーズにできる。
【００１８】
請求項４に係る雨樋支持具は、請求項１〜３の何れかにおいて、上記横スライドロックレバーは、上記基板の少なくとも一方端を立起させたストッパー部を形成している。
【００１９】
請求項４では、ストッパー部を形成しているので、確実に横スライドロックレバーをロック状態で規制できる。
【００２０】
請求項５に係る雨樋支持具は、請求項１〜４の何れかにおいて、上記樋支持具本体に形成したスライド長孔の側壁には、長手方向に連続する側壁凹凸部を形成し、この側壁凹凸部の凹部に、上記横スライドロックレバーの係止片部に上方に突出させて形成した突片が係止される構造にしている。
【００２１】
請求項５では、樋支持具本体のスライド長孔の側壁に側壁凹凸部が形成されているので、樋支持具本体と横スライドロックレバーとの固定をより確実に行うことができる。
【００２２】
【発明の実施の形態】
以下、本発明に係る雨樋支持具を図面に基づき説明する。
【００２３】
図１は、本発明に係る雨樋支持具の分解斜視図、図２は、その組立斜視図である。
【００２４】
この雨樋支持具Ａは、軒先等に固定され、前方に軸孔１１を設けた支持片部１２を形成した取付杆１と、長手方向にスライド長孔２１が形成され、且つ、雨樋Ｔを支持する樋耳掛止部２２を備えた樋支持具本体２と、長手方向にスライド長孔３１が形成され、樋支持具本体２に対して横方向にスライドする横スライドロックレバー３と、この横スライドロックレバー３が樋支持具本体２に交差するように、取付杆１の軸孔１１から、樋支持具本体２のスライド長孔２１、横スライドロックレバー３のスライド長孔３１を貫通して、その下端を抜け止め加工して、これらを相互に連通するリベットなどの連結軸４とより成る。
【００２５】
なお、この連結軸４端部には、スプリングワッシャー等の弾性体を組み込んでおくことが望ましい。
【００２６】
取付杆１は、その基端に軒先等に固定される取付部１３を形成している。
【００２７】
樋支持具本体２は、その上面の長手方向の両側に、取付杆１の支持片部１２を嵌合する両側ガイド部２３、２３を形成し、且つ、その下面の長手方向に、複数の凹凸部２４を形成している。この凹凸部２４は、図示したように、樋支持具本体２の長手方向に鋸刃状の凹凸部２４を形成したものに限られず、例えば、凹んだ溝条を複数形成したものでも良い。
【００２８】
取付杆１と樋支持具本体２とは、これらの回転を防止する回転防止手段（不図示）を介して連結してされるが、その手段は様々であり、ここでは、両側ガイド部２３で支持片部１２を嵌合することによって両者の回転を防止している。
【００２９】
この両側ガイド部２３、２３は、少なくとも樋支持具本体２がロックされたときに取付杆１の支持片部１２を嵌合して、この取付杆１の回転を防止できる手段であれば足りるが、ここでは、両側ガイド部２３、２３が常に支持片部１２を嵌合する程度に形成しているので、樋支持具本体２が横回転することなく、しかも樋支持具本体２をガイドしながらスムーズなスライド操作ができる。
【００３０】
これら取付杆１や樋支持具本体２の形状は、取付場所や雨樋Ｔの形状に応じて適宜選択され、これに限定されるものではない。
【００３１】
横スライドロックレバー３は、帯板状に形成されたスライド基板３２の中央の長手方向にスライド長孔３１を形成すると共に、このスライド基板３２の両方端を上方に立起させたストッパー部３３を形成している。
【００３２】
このストッパー部３３は、横スライドロックレバー３を横方向にスライド操作するときの操作部として機能するが、図１のようにスライド基板３２の両方端に形成すれば、左右何れの方向からでもストッパー部３３を操作できる。
【００３３】
また、図３（ａ）、（ｂ）は、横スライドロックレバーの他の例を示した斜視図であるが、この図で示すように、ストッパー部３３は、スライド基板３２の一方端にさえ形成されていれば足り、図１で示したスライド基板３２の略中央を下方に屈曲させたもの［図３（ａ）］、或いは、その他方端を更に内側に屈曲させたもの［図３（ｂ）］であっても良い。
【００３４】
このようにストッパー部３３をスライド基板３２の一方側だけに形成すれば、ストッパー部３３の出っ張りが少なく、邪魔にならない利点がある。
【００３５】
これらスライド基板３２の一方側或いは両方側の何れの場合であっても、そのストッパー部３３が形成されたスライド基板３２のスライド終端の上面に、樋支持具本体２の凹凸部２４に係止される係止片部３４を形成している。
【００３６】
この係止片部３４は、横スライドロックレバー３をロックしたときに、樋支持具本体２の凹凸部２４の凹部に係止されるものであれば良いが、図１〜図３で示した係止片部３４は、スライド基板３２の一方側の両側縁を、上方に曲げ起こして形成され、その係止片部３４には、スライド基板３２から緩やかに昇降する傾斜部３４ａを形成している。
【００３７】
このような係止片部３４によれば、緩やかに昇降する傾斜部３４ａを形成しているので、横スライドロックレバー３の係止片部３４を樋支持具本体２の凹凸部２４に対してスムーズに係脱することができる。
【００３８】
また、図１、図２で示した横スライドロックレバー３の係止片部３４を、スライド基板３２の両方側に各々形成することもでき（不図示）、この場合では、横スライドロックレバー３を左右何れの側にスライドさせてもロックできるという利点がある。
【００３９】
図４は、横スライドロックレバーをロック、アンロック状態に操作した動作説明図である。
【００４０】
このように構成された雨樋支持具Ａの動作を図１、図２及び図４に基づき説明する。
【００４１】
先ず、軒先等に取付杆１の取付部１３を釘、ネジ等で固定する。
【００４２】
そして、樋支持具本体２を取付杆１に対して前、後にスライドさせ、そのスライド位置を決める。
【００４３】
この位置で、横スライドロックレバー３を、横方向にスライドさせ、その係止片部３４が樋支持具本体２の下面に形成した凹凸部２４に係止される位置まで移動させれば、係止片部３４の傾斜部３４ａに差しかかり、この傾斜部３４ａの傾斜に沿って、連結軸４を徐々に引き下げようとするが、その上端は取付杆１の軸孔１１で規制されているため、結果的には、この引き下げようとする力の反力によって、樋支持具本体２を押し上げ、樋支持具本体２が取付杆１に圧接されて固定し、樋支持具本体２の前、後スライドがロックされる。
【００４４】
同時に、持ち上げられた樋支持具本体２の上面の両側ガイド部２３、２３の間には、取付杆１の支持片部１２が確実に嵌合し、樋支持具本体２が横方向に回転することも防止できる。
【００４５】
また、横スライドロックレバー３の係止片部３４が、樋支持具本体２の凹凸部２４に係止されるので、この横スライドロックレバー３の回転をも防止できる。
【００４６】
一方、ロックを解除するには、横スライドロックレバー３を、先程とは逆方向、つまり、係止片部３４が樋支持具本体２の下面に形成した凹凸部２４から離れる位置まで横スライドさせれば、係止片部３４による樋支持具本体２の押し上げは解除され、その結果、取付杆１と樋支持具本体２とのロックも解除され、樋支持具本体２をスライド長孔２１に従って所望の位置に移動できるのである。
【００４７】
図５は、本発明に係る雨樋支持具の他例を示す分解斜視図である。
【００４８】
なお、図１と共通する部材には、共通の符号を付し、その説明は省略する。
【００４９】
この雨樋支持具Ａでは、樋支持具本体２に形成したスライド長孔２１の側壁に、更に長手方向に連続する側壁凹凸部２５を形成し、この側壁凹凸部２５に横スライドロックレバー３の係止片部３４が係止される構造にしている。
【００５０】
例えば、横スライドロックレバー３の係止片部３４に、上方に突出させた突片３４ｂを形成し、上記の要領で横スライドロックレバー３を、横方向にスライドさせてロック状態にすれば、その係止片部３４が樋支持具本体２の下面に形成した凹凸部２４に係止されると共に、突片３４ｂが樋支持具本体２の側壁凹凸部２５の凹部に係合されるものである。
【００５１】
このような雨樋支持具Ａによれば、樋支持具本体２のスライド長孔２１の側壁に側壁凹凸部２５が形成されているので、樋支持具本体２と横スライドロックレバー３との固定をより確実に行うことができる。
【００５２】
【発明の効果】
本発明によれば、次のような効果がある。
【００５３】
請求項１に係る雨樋支持具によれば、樋支持具本体と取付杆とは、これらの回転を防止する回転防止手段を介して連結しており、且つ、樋支持具本体の下面には、長手方向に複数の凹凸部を形成すると共に、横スライドロックレバーの一方側の上面には、上記樋支持具本体の上記凹凸部に係止される係止片部を形成している。
【００５４】
そのため、樋支持具本体を取付杆に圧接して確実に固定でき、このロック時における樋支持具本体及び横スライドロックレバーの回転をも防止できる。
【００５５】
したがって、従来の機能を維持しつつ、回転止め具を不要にでき、その構造を簡易にできる。
【００５６】
また、横スライドロックレバーの係止片部が樋支持具本体の凹凸部に係止されるので、ロック時の横スライドロックレバーの滑りも防止できる。
【００５７】
請求項２に係る雨樋支持具によれば、回転防止手段として、上記樋支持具本体の上面には、長手方向の両側に、上記取付杆の支持片部を嵌合する両側ガイド部を形成した構造にしている。
【００５８】
そのため、両側ガイド部で樋支持具本体のスライドをガイドすることができると共に、請求項１と同様の効果を得ることができる。
【００５９】
請求項３に係る雨樋支持具によれば、係止片部に、徐々に上方に傾斜する傾斜部を形成しているので、横スライドロックレバーの係止片部と、樋支持具本体の凹凸部の凹部とのロック、アンロック操作をスムーズにできる。
【００６０】
請求項４に係る雨樋支持具によれば、ストッパー部を形成しているので、確実に横スライドロックレバーをロック状態で規制できる。
【００６１】
請求項５に係る雨樋支持具によれば、樋支持具本体のスライド長孔の側壁に側壁凹凸部が形成されているので、樋支持具本体と横スライドロックレバーとの固定をより確実に行うことができる。
【図面の簡単な説明】
【図 １】本発明に係る雨樋支持具の分解斜視図
【図 ２】本発明に係る雨樋支持具の組立斜視図
【図 ３】（ａ），（ｂ）は、横スライドロックレバーの他の例を示した斜視図
【図 ４】横スライドロックレバーをロック、アンロック状態に操作した動作説明図
【図 ５】本発明に係る雨樋支持具の他例を示す分解斜視図
【図 ６】従来の雨樋支持具を示す概略説明図
【符号の説明】
Ａ      雨樋支持具
Ｔ      雨樋
１      取付杆
１１    軸孔
１２    支持片部
２      樋支持具本体
２１    スライド長孔
２２    樋耳掛止部
２３    両側ガイド部
２４    凹凸部
２５    側壁凹凸部
３      横スライドロックレバー
３１    スライド長孔
３２    スライド基板
３３    ストッパー部
３４    係止片部
３４ａ  傾斜部
３４ｂ  突片
４      連結軸
【図１】
0004714365.tif 000002
【図２】
0004714365.tif 000003
【図３】
0004714365.tif 000004
【図４】
0004714365.tif 000005
【図５】
0004714365.tif 000006
【図６】
0004714365.tif 000007